(57)【要約】【課題】  フィルターの表面に付着した臭気成分及び細菌あるいは雑菌を紫外線照射により的確に処理することのできる空気清浄機を提供することを目的とする。【解決手段】  吸込口３と紫外線ランプ１２との間に、不織布をベルト状に形成したフィルター７と、前記紫外線ランプ１２の前面に上下に配設された回動自在な円柱状のローラー８ａ及び８ｂと、減速機能を備えたモータ９とからなるフィルターユニット６を設け、運転が開始されてから所定時間が経過すると、前記モータ９の駆動により前記フィルター７が上下方向に移動し、塵埃、臭気成分及び雑菌等が蓄積した前面側を、前記紫外線ランプ１２に対向する位置で停止させることにより、前記紫外線ランプ１２から紫外線が、汚れが蓄積した部位に最も近い距離で照射され、脱臭処理と殺菌処理と的確に行われる。【選択図】図１
2005312496.tif 000002
【特許請求の範囲】
【請求項１】
吸込口と吹出口とを備えた本体内に、フィルターユニットと紫外線ランプと送風ファンとを備えた空気調和装置において、
前記フィルターユニットを、ベルト状に形成したフィルターと、同フィルターを掛架するローラーと、同ローラーを駆動する駆動機構とで構成するとともに、前記フィルターが前記紫外線ランプに対向するように配置されてなることを特徴とする空気調和装置。
【請求項２】
吸込口と吹出口とを備えた本体内に、フィルターユニットと紫外線ランプと送風ファンとを備えた空気調和装置において、
前記フィルターユニットを、円盤状に形成されたフィルターと、同フィルターが回動自在となるようにガイドするガイド部材と、前記フィルタを駆動する駆動機能とで構成するとともに、前記フィルターが前記紫外線ランプに対向するように配置されてなることを特徴とする空気調和装置。
【請求項３】
前記フィルターが、酸化チタンを配合した不織布から形成されてなることを特徴とする請求項１又は請求項２に記載の空気調和装置。
【請求項４】
前記紫外線ランプが、殺菌効果を有する波長の紫外線と、脱臭効果を有する波長の紫外線を放射してなることを特徴とする請求項１又は請求項２に記載の空気調和装置。
【発明の詳細な説明】
【技術分野】
【０００１】
本発明は、空気調和装置に属する、紫外線ランプを備えた空気清浄機に関わり、より詳細には、紫外線ランプからの紫外線がフィルターに均一に照射されるようにした構成に関する。
【背景技術】
【０００２】
空気調和装置に属する従来の空気清浄機は、例えば図３で示すように、本体の前面側に吸込口３０を、上面後部に吹出口３１を備え、前記吸込口３０と前記吹出口３１とを繋ぐ空気流路に、集塵フィルターと光脱臭フィルターとを積層したフィルターユニット３２と、紫外線ランプ３３ａを備えた紫外線ランプユニット３３と、ファンモータ３６により駆動される送風ファン３５とを備えている。前記吸込口３０から吸込まれた室内の空気は、含有する塵埃と臭気成分と、細菌あるいは雑菌を前記フィルターユニット３２により吸着され、前記送風ファン３５により前記吹出口３１から再び室内に送出されるようになっている。
【０００３】
前記フィルターユニット３２に吸着された脱臭成分は、前記紫外線ランプ３３ａから照射される紫外線により酸化還元されて無臭成分に分解され、又、同フィルターユニット３２の表面に付着した殺菌あるいは前記紫外線ランプ３３ａから照射される特定波長の紫外線により殺菌処理されるようになっている（例えば特許文献１参照）。
【０００４】
しかしながら、前記フィルターユニット３２の各部位と前記紫外線ランプ３３ａとの距離は均一でないため、距離が近い前記フィルターユニット３２の中央部には強度の紫外線が照射されて円滑に脱臭と殺菌処理が行われるが、距離が遠い端部には強度の紫外線が届かず脱臭及び殺菌作用が低下するという問題点があった。又、細菌あるいは雑菌は前記フィルターユニット３２の前面側に付着しやすいが、前記紫外線ランプ３３ａは前記フィルターユニットの後方に配置されているため、充分な強度の紫外線が前面側に到達せず、殺菌能力が低下してしまうという不具合があった。
【０００５】
【特許文献１】特開平１１−６３５９２号
【発明の開示】
【発明が解決しようとする課題】
【０００６】
本発明は、上記問題点に鑑み、フィルターの各部位に、紫外線ランプからの紫外線が均一に照射されるようにして脱臭処理能力と殺菌処理能力とが向上できるとともに、細菌あるいは雑菌が付着したフィルターの表面に、紫外線が直接照射されるようにした空気清浄機を提供することを目的とする。
【課題を解決するための手段】
【０００７】
本発明は、上記課題を解決するため、吸込口と吹出口とを備えた本体内に、フィルターユニットと紫外線ランプと送風ファンとを備えた空気調和装置において、前記フィルターユニットを、ベルト状に形成したフィルターと、同フィルターを掛架する一対のローラーと、同ローラーを駆動する駆動機構とから構成するとともに、前記フィルターが前記紫外線ランプに対向するように配置してなる構成となっている。又、吸込口と吹出口とを備えた本体内に、フィルターユニットと紫外線ランプと送風ファンとを備えた空気調和装置において、前記フィルターユニットを、円盤状に形成されたフィルターと、同フィルターが回動自在となるようにガイドするガイド部材と、前記フィルタを回転駆動する駆動機能とから構成するとともに、前記フィルターが前記紫外線ランプに対向するように配置してなる構成となっている。又、前記フィルターが、酸化チタンを配合した不織布から形成された構成となっている。又、前記紫外線ランプが、殺菌効果を有する波長の紫外線と、脱臭効果を有する波長の紫外線を放射してなる構成となっている。
【発明の効果】
【０００８】
本発明によると、吸込口と紫外線ランプとの間に、酸化チタンを配合した不織布をベルト状に形成したフィルターと、前記紫外線ランプの前面に上下に配設された回動自在な円柱状のローラーと、減速機能を備えたモータとからなるフィルターユニットを設け、運転が開始されてから所定時間が経過すると、前記モータの駆動により前記フィルターが上下方向に移動し、塵埃、臭気成分及び雑菌等が蓄積した前面側が、前記紫外線ランプに対向する位置で停止するようになっている。これにより、前記紫外線ランプから紫外線が、汚れが蓄積した部位に最も近い距離で照射され、脱臭処理と殺菌処理とが効率よく行えるようになっている。又、吸込口と紫外線ランプとの間に、酸化チタンを配合した不織布からなり円盤状に形成されたフィルターと、同フィルターをガイドするガイド部材と、前記フィルターの外周面に接触し、モータにより駆動されるローラーとからなるフィルターユニットを設け、運転が開始されてから所定時間が経過すると、前記モータの駆動により前記フィルターが回動することにより同フィルターの表面には均一な強度の紫外線が照射され、脱臭処理及び殺菌処理が的確に行えるようになっている。
【発明を実施するための最良の形態】
【０００９】
以下、本発明の実施の形態を、添付図面に基づいた実施例として詳細に説明する。
【実施例１】
【００１０】
図１は本発明による空気清浄機の第一実施例を示す断面図であり、図２は第二実施例を示す断面図である。
【００１１】
本発明による空気清浄機の第一実施例は、図１の断面図で示すように、後面が開放されたフロントパネル１と、前面が開放されたリアパネル２とで本体を構成し、同本体の前面に、上下に設けられた複数の桟により吸込口３を形成し、上面後部に複数の桟により吹出口４を形成している。
【００１２】
前記本体内は、中央部に流入孔５ａを穿設した仕切板５により前後に区画され、区画された後部には、前記流入孔５ａに臨んでファンモータ１１と、同ファンモータ１１に駆動される送風ファン１０が設けられている。又、前記仕切板５の前面には、上下に設けられた電極により紫外線ランプ１２が垂直状に支持され、同紫外線ランプ１２は図示しない電源部から高圧電源を印加されて周囲に紫外線を照射するようになっている。同紫外線には殺菌力の高い波長２５４ｎｍ（ナノメートル）の紫外線と、脱臭作用をある波長１８５ｎｍの紫外線が含まれる。
【００１３】
前記吸込口３と前記紫外線ランプ１２との間には、フィルターユニット６が配設されている。同フィルターユニット６は、酸化チタンを配合した不織布をベルト状に形成したフィルター７と、前記紫外線ランプ１２の前面に上下に配設された回動自在な円柱状のローラー８ａ及び８ｂと、下部に配設された同ローラー８ｂに連結され、これを駆動する減速機能を備えたモータ９とからなっている。前記フィルター７は前記ローラー８ａ及び８ｂに巻回され、前記ローラー８ｂが前記モータ９により回転駆動されると、上下方向に移動するようになっている。
【００１４】
次に、動作について説明する。前記送風ファン１０が前記ファンモータ１１により駆動されると室内の空気は前記吸込口３から本体内に吸込まれる。この際、前記フィルターユニット６の前記モータ９は停止している。又、前記紫外線ランプ１２は点灯状態となる。前記吸込口３から吸込まれた空気に含有される塵埃と、臭気成分と、細菌あるいは雑菌は、酸化チタンを配合した前記フィルター７によりその表面に吸着される。これら不純物を除去された空気は、前記流入孔５ａを通り前記本体の後部区画に吸込まれ、前記ファンモータ１１に駆動される前記送風ファン１０により前記吹出口４から、清浄化された空気となって再び室内に送出されるようになっている。
【００１５】
運転が継続されると、前記吸込口３に対向する前記フィルター７の前面側には、塵埃、臭気成分及び雑菌等が次第に蓄積されてくる。運転が開始されてから所定時間が経過すると、前記モータ９が起動され前記ローラー８ｂが回転駆動されることにより、前記フィルター７は上下方向に移動し、塵埃、臭気成分及び雑菌等が蓄積した前面側は、前記紫外線ランプ１２に対向する後面側で停止するようになっている。同フィルター７が停止すると後面側には前記紫外線ランプ１２から紫外線が最も近い距離で照射され、同紫外線により前記フィルター７に配合された酸化チタンには過酸化水素、水酸基ラジカル等が発生し、その酸化力により臭気成分、特に悪臭成分は無臭成分に分解されるようになっている。又、殺菌効果の高い波長２５４ｎｍの紫外線が直接照射されることにより前記フィルター７の表面に捕獲された細菌あるいは雑菌は的確に殺菌処理されるようになっている。
【００１６】
尚、前記フィルター７は上記したように、所定時間毎に移動させるか、あるいは低速で常時、回動移動させてもよい。又、使用者が任意の時間にリモートコントローラ等の操作により駆動してもよい。
【実施例２】
【００１７】
次に、第二実施例について説明する。第二実施例は、図２（Ａ）で示すように、フロントパネル１とリアパネル２とで本体を構成し、同本体の前面に吸込口３を、上面後部に吹出口４を夫々設けており、後述するフィルターユニット１３を除き、他は第一実施例と同様である。
【００１８】
紫外線ランプ１２の前面に配置されたフィルターユニット１３は、図２（Ａ）及び図２（Ｂ）で示すように、酸化チタンを配合した不織布からなり円盤状に形成されたフィルター１４と、同フィルター１４が回動自在となるように、その外周縁をガイドする断面コ字状のガイド部材１５と、前記フィルター１４の外周面に接触するローラー１７と、同ローラー１７を駆動するモータ１６からなっている。同モータ１６の駆動により前記ローラー１７が回動すると、これに接触した前記フィルター１４は、前記紫外線ランプ１２に対向するように低速で回動するようになっている。
【００１９】
次に、動作について説明する。送風ファン１０がファンモータ１１により駆動されると室内の空気は前記吸込口３から本体内に吸込まれる。前記吸込口３から吸込まれた空気に含有される塵埃と、臭気成分と、細菌あるいは雑菌は、酸化チタンを配合した円盤状の前記フィルター１４を通過することにより、不織布内に吸着される。これら不純物を除去された空気は、前記本体の後部区画に吸込まれ、前記ファンモータ１１に駆動される前記送風ファン１０により前記吹出口４から、清浄化された空気となって再び室内に送出されるようになっている。
【００２０】
運転が開始されてから所定時間が経過すると、前記モータ１６の駆動により前記ローラー１７が回動し、同ローラー１７に接触する前記フィルター１４が前記ガイド部材１５にガイドされながら回動する。前記モータ１６の駆動とともに、前記紫外線ランプ１２も点灯し、前記フィルター１４の表面に紫外線を照射する。紫外線が照射されると、第一実施例でも説明したように、前記フィルター１４に配合された酸化チタンには過酸化水素、水酸基ラジカル等が発生し、その酸化力により臭気成分、特に悪臭成分は無臭成分に分解されるようになっている。又、殺菌効果の高い波長２５４ｎｍの紫外線が照射されることにより前記フィルター７の表面に捕獲された細菌あるいは雑菌は的確に殺菌処理されるようになっている。又、前記フィルター１４が回動することにより、同フィルター１４の表面には均一な強度の紫外線が照射されることとなり、これにより脱臭処理及び殺菌処理が的確に行えるようになっている。尚、前記紫外線ランプ１２はの全長は、前記フィルター１４の直径と同等か、あるいは半径と同等であってもよい。
【００２１】
尚、前記フィルター１４は、回動動作を行うと空気に対する流路抵抗が増加する虞があるため、上記したように所定時間をおいて間欠的に回動し、脱臭処理及び殺菌処理を行うようになっている。
【図面の簡単な説明】
【００２２】
【図１】本発明による空気清浄機の第一実施例を示す断面図である。
【図２】（Ａ）は本発明による空気清浄機の第二実施例を示す断面図である。  （Ｂ）はその要部断面図である。
【図３】従来例による空気清浄機の一例を示す断面図である。
【符号の説明】
【００２３】
１  フロントパネル
２  リアパネル
３  吸込口
４  吹出口
５  仕切板
５ａ  流入孔
６  フィルターユニット
７  フィルター
８ａ，８ｂ  ローラー
９  モータ
１０  送風ファン
１１  ファンモータ
１２  紫外線ランプ
１３  フィルターユニット
１４  フィルター
１５  ガイド部材
１６  モータ
１７  ローラー
【図１】
2005312496.tif 000003
【図２】
2005312496.tif 000004
【図３】
2005312496.tif 000005